(57)【要約】【課題】従来の狭色域ディスプレイであっても、広色域ディスプレイのような明るく鮮やかな色表現を行える表示装置を提供する。【解決手段】表示装置１は、所定の色空間に対応した入力映像信号の輝度を調整する輝度調整部１２を備える。表示装置１は、表示装置１で表示可能な色空間の範囲を示すディスプレイラインと、入力映像信号の目標輝度を示すターゲットラインと、入力映像信号の輝度をターゲットラインより高くするか低くするかを判別するための判別ラインとを、色相毎に輝度と彩度の関数として設定する。輝度調整部１２は、入力映像信号を構成する画素の色相、彩度、及び輝度を検出し、画素の輝度と判別ラインとを比較した結果に基づいて、画素の輝度をターゲットラインの目標輝度に合わせて調整する。【選択図】図１
2011123295.tif 000002
【特許請求の範囲】
【請求項１】
所定の色空間に対応した入力映像信号の輝度を調整する輝度調整部を備えた表示装置であって、
該表示装置で表示可能な色空間の範囲を示すディスプレイラインと、前記入力映像信号の目標輝度を示すターゲットラインと、前記入力映像信号の輝度を前記ターゲットラインより高くするか低くするかを判別するための判別ラインとを設定するライン設定部を備え、
前記ディスプレイライン、前記ターゲットライン、及び前記判別ラインは、色相毎に輝度と彩度の関数として設定され、
前記輝度調整部は、前記入力映像信号を構成する画素の色相、彩度、及び輝度を検出し、該画素の輝度と前記判別ラインとを比較した結果に基づいて、該画素の輝度を前記ターゲットラインの目標輝度に合わせて調整することを特徴とする表示装置。
【請求項２】
請求項１に記載の表示装置において、前記ライン設定部は、前記ターゲットラインの高彩度部分の目標輝度を、前記ディスプレイラインよりも低くなるように設定すると共に、前記判別ラインを、前記ディスプレイラインに基づいて前記ターゲットラインよりも低くなるように設定し、前記輝度調整部は、前記画素の輝度が前記判別ラインよりも低い場合、前記ターゲットライン及び前記判別ラインに基づいて、前記画素の輝度が該輝度よりも高く且つ前記ターゲットラインよりも低くなるように調整することを特徴とする表示装置。
【請求項３】
請求項２に記載の表示装置において、前記輝度調整部は、前記画素の輝度が前記判別ライン以上である場合、前記ディスプレイライン、前記ターゲットライン、及び前記判別ラインに基づいて、前記画素の輝度が前記ターゲットラインよりも高くなるように調整することを特徴とする表示装置。
【請求項４】
請求項１〜３のいずれか１項に記載の表示装置において、前記ライン設定部は、前記ターゲットラインの低彩度部分の目標輝度を、前記ディスプレイラインに基づいて該ディスプレイラインよりも低くなるように設定すると共に、前記判別ラインを、前記ディスプレイラインに基づいて該ディスプレイラインと前記ターゲットラインとの間に設定し、前記輝度調整部は、前記画素の輝度が前記判別ラインよりも低い場合、前記ターゲットライン及び前記判別ラインに基づいて、前記画素の輝度が前記ターゲットラインよりも低くなるように調整することを特徴とする表示装置。
【請求項５】
請求項４に記載の表示装置において、前記輝度調整部は、前記画素の輝度が前記判別ライン以上である場合、前記ディスプレイライン、前記ターゲットライン、及び前記判別ラインに基づいて、前記画素の輝度が該輝度よりも低く且つ前記ターゲットラインよりも高くなるように調整することを特徴とする表示装置。
【請求項６】
請求項１〜５のいずれか１項に記載の表示装置において、前記輝度調整部は、前記ディスプレイライン、前記ターゲットライン、及び前記判別ラインをルックアップテーブルとして保持することを特徴とする表示装置。
【請求項７】
請求項６に記載の表示装置において、前記ディスプレイライン及び前記ターゲットラインは、所定の色相毎に設定されることを特徴とする表示装置。
【請求項８】
請求項７に記載の表示装置において、前記輝度調整部は、前記画素の色相が前記所定の色相以外であった場合、前記画素の色相に隣接し且つ前記ディスプレイライン及び前記ターゲットラインが設定された２つの色相の輝度を、前記ディスプレイライン、前記ターゲットライン、及び前記判別ラインに基づいて調整し、該調整した前記２つの色相の輝度に基づいて、前記画素の色相の輝度を補間することを特徴とする表示装置。
【発明の詳細な説明】
【技術分野】
【０００１】
本発明は、表示装置に関し、より詳細には、ITU-R BT.709規格などの狭色域に対応したディスプレイであっても、明るく鮮やかな色表現を行える表示装置に関する。
【背景技術】
【０００２】
近年、テレビジョン受像機等の表示装置においては、液晶ディスプレイが広く用いられている。液晶ディスプレイにおいては、画像表示が行われる液晶パネル自身は発光せず、液晶パネルは、隣接するバックライトが発する照明光を変調して画像を形成する。
【０００３】
従って、表示される画像は、液晶パネルだけでなく、照明光の輝度にも依存し、映像信号に合わせてバックライトの輝度を調整することが行われている。特に、映像信号における平均輝度レベル（ＡＰＬ：Average Picture Level）に応じて、照明光の輝度を制御する技術が、例えば、特許文献１に記載されている。
【０００４】
この技術においては、液晶ディスプレイに入力される映像信号の平均輝度レベル（ＡＰＬ）を検出し、ＡＰＬが大きい場合にはバックライトからの照明光の輝度を下げ、ＡＰＬが小さい場合には照明光の輝度を上げる制御を行う。これにより、映像信号のＡＰＬが変化してもほぼ一定の表示輝度で画像を表示させることができるようにしている。
【０００５】
一方、上記のような液晶ディスプレイを使用した表示装置の光源として、ＬＥＤ（Light Emitting Diode）等の半導体光源を用いる動きが本格化している。このような半導体光源を用いる大きなメリットとして、広い色再現域を持つディスプレイを実現できることがあげられる。これは、半導体光源が鋭いスペクトルを持つことによるもので、例えば、赤・緑・青の三原色に半導体光源を用いた表示装置は、ＣＲＴ（Ｃａｔｈｏｄｅ  Ｒａｙ  Ｔｕｂｅ）ディスプレイや、冷陰極管を用いた液晶ディスプレイなどの従来の画像表示装置に比べて、広い色再現域を持ち、明るく鮮やかな色表現を行うことが可能である。
【０００６】
また、例えば、デジタル放送（ＨＤＴＶ）の映像信号で表示できる色域は、ITU-R BT.709規格などで規定されている。そして、このITU-R BT.709規格で規定された輝度信号と色差信号とで表現される色域（狭色域）の範囲を超えた色域を表現するための規格の一例として、ｘｖＹＣＣ規格が国際標準規格（ＩＥＣ６１９６６−２−４）によって提案されている。ｘｖＹＣＣ規格の特徴は、ITU-R BT.709規格との互換性を確保しながら、広色域の色を表現するため色空間を広げた点にある。
【先行技術文献】
【特許文献】
【０００７】
【特許文献１】特開平８−２０１８１２号公報
【発明の概要】
【発明が解決しようとする課題】
【０００８】
しかしながら、上記のような広色域（ｘｖＹＣＣ規格など）に対応したディスプレイは十分に普及しておらず、従来の狭色域（ITU-R BT.709規格など）に対応したディスプレイが主流となっている。そして、この狭色域ディスプレイであっても、広色域ディスプレイのような明るく鮮やかな色表現を行いたいという要望がある。前述の特許文献１に記載された技術によれば、映像信号のＡＰＬの変化に応じてバックライト輝度を制御することで、ＡＰＬの変化に係らず表示輝度が一定に維持されるが、上記のような色表現を実現できるものではない。
【０００９】
本発明は、上述のごとき実情に鑑みてなされたものであり、従来の狭色域ディスプレイであっても、広色域ディスプレイのような明るく鮮やかな色表現を行える表示装置を提供すること、を目的とする。
【課題を解決するための手段】
【００１０】
上記課題を解決するために、本発明の第１の技術手段は、所定の色空間に対応した入力映像信号の輝度を調整する輝度調整部を備えた表示装置であって、該表示装置で表示可能な色空間の範囲を示すディスプレイラインと、前記入力映像信号の目標輝度を示すターゲットラインと、前記入力映像信号の輝度を前記ターゲットラインより高くするか低くするかを判別するための判別ラインとを設定するライン設定部を備え、前記ディスプレイライン、前記ターゲットライン、及び前記判別ラインは、色相毎に輝度と彩度の関数として設定され、前記輝度調整部は、前記入力映像信号を構成する画素の色相、彩度、及び輝度を検出し、該画素の輝度と前記判別ラインとを比較した結果に基づいて、該画素の輝度を前記ターゲットラインの目標輝度に合わせて調整することを特徴としたものである。
【００１１】
第２の技術手段は、第１の技術手段において、前記ライン設定部は、前記ターゲットラインの高彩度部分の目標輝度を、前記ディスプレイラインよりも低くなるように設定すると共に、前記判別ラインを、前記ディスプレイラインに基づいて前記ターゲットラインよりも低くなるように設定し、前記輝度調整部は、前記画素の輝度が前記判別ラインよりも低い場合、前記ターゲットライン及び前記判別ラインに基づいて、前記画素の輝度が該輝度よりも高く且つ前記ターゲットラインよりも低くなるように調整することを特徴としたものである。
【００１２】
第３の技術手段は、第２の技術手段において、前記輝度調整部は、前記画素の輝度が前記判別ライン以上である場合、前記ディスプレイライン、前記ターゲットライン、及び前記判別ラインに基づいて、前記画素の輝度が前記ターゲットラインよりも高くなるように調整することを特徴としたものである。
【００１３】
第４の技術手段は、第１〜第３のいずれか１の技術手段において、前記ライン設定部は、前記ターゲットラインの低彩度部分の目標輝度を、前記ディスプレイラインに基づいて該ディスプレイラインよりも低くなるように設定すると共に、前記判別ラインを、前記ディスプレイラインに基づいて該ディスプレイラインと前記ターゲットラインとの間に設定し、前記輝度調整部は、前記画素の輝度が前記判別ラインよりも低い場合、前記ターゲットライン及び前記判別ラインに基づいて、前記画素の輝度が前記ターゲットラインよりも低くなるように調整することを特徴としたものである。
【００１４】
第５の技術手段は、第４の技術手段において、前記輝度調整部は、前記画素の輝度が前記判別ライン以上である場合、前記ディスプレイライン、前記ターゲットライン、及び前記判別ラインに基づいて、前記画素の輝度が該輝度よりも低く且つ前記ターゲットラインよりも高くなるように調整することを特徴としたものである。
【００１５】
第６の技術手段は、第１〜第５のいずれか１の技術手段において、前記輝度調整部は、前記ディスプレイライン、前記ターゲットライン、及び前記判別ラインをルックアップテーブルとして保持することを特徴としたものである。
【００１６】
第７の技術手段は、第６の技術手段において、前記ディスプレイライン及び前記ターゲットラインは、所定の色相毎に設定されることを特徴としたものである。
【００１７】
第８の技術手段は、第７の技術手段において、前記輝度調整部は、前記画素の色相が前記所定の色相以外であった場合、前記画素の色相に隣接し且つ前記ディスプレイライン及び前記ターゲットラインが設定された２つの色相の輝度を、前記ディスプレイライン、前記ターゲットライン、及び前記判別ラインに基づいて調整し、該調整した前記２つの色相の輝度に基づいて、前記画素の色相の輝度を補間することを特徴としたものである。
【発明の効果】
【００１８】
本発明によれば、従来の狭色域ディスプレイであっても、高彩度且つ低輝度の原色を強調することができるため、広色域ディスプレイのような明るく鮮やかな色表現を行うことができる。
【図面の簡単な説明】
【００１９】
【図１】本発明の一実施形態に係る表示装置の構成例を示すブロック図である。
【図２】ライン設定部により設定されるディスプレイライン、ターゲットライン、及び判別ラインの一例について説明するための図である。
【図３】輝度調整部による輝度調整方法の一例を説明するための図である。
【図４】中間色相の場合における輝度調整方法の一例を説明するための図である。
【図５】ライン設定部による判別ラインの設定方法の一例を説明するための図である。
【図６】本発明に係る表示装置による輝度調整方法の他の実施形態について説明するための図である。
【図７】輝度調整部による輝度調整方法の他の例を説明するための図である。
【図８】ライン設定部によるターゲットラインの設定方法の一例を説明するための図である。
【図９】ライン設定部によるターゲットラインの設定方法の他の例を説明するための図である。
【発明を実施するための形態】
【００２０】
以下、添付図面を参照しながら、本発明の表示装置に係る好適な実施の形態について説明する。
【００２１】
（第１の実施形態）
図１は、本発明の一実施形態に係る表示装置の構成例を示すブロック図で、図中、１は表示装置を示す。この表示装置１は、放送信号２をデコードして所定の色空間に対応した入力映像信号を抽出するデコード部１１と、入力映像信号の輝度を調整する輝度調整部１２と、輝度調整後の出力映像信号に対して各種の映像処理を行う映像処理部１３と、ＬＣＤ（Liquid Crystal Display）などの表示部１４と、後述するディスプレイライン，ターゲットライン，及び判別ラインを設定するライン設定部１５と、ユーザが表示装置１を操作するための操作部１６とを備える。
【００２２】
輝度調整部１２は、ライン設定部１５で設定されたディスプレイライン、ターゲットライン、及び判別ラインをＬＵＴ（ルックアップテーブル）１２ａとして保持するメモリを備える。
【００２３】
上記において、入力映像信号が持つ色空間は例えばITU-R BT.709規格の狭色域空間である。輝度調整部１２は、この入力映像信号の輝度を調整し、輝度調整後の映像信号を出力映像信号として出力する。また、放送信号２からはＹＣｂＣｒ（Ｙ：輝度、ＣｂＣｒ：色差）信号が取得されるが、このＹＣｂＣｒ信号とＲＧＢ信号とは周知の変換式により相互に変換することができる。
【００２４】
図２は、ライン設定部１５により設定されるディスプレイライン、ターゲットライン、及び判別ラインの一例について説明するための図である。図中、縦軸をＬ＊（輝度）、横軸をＣｕ′ｖ′（彩度）とし、色相“Ｒ（赤）”について示すものとする。ここで、入力映像信号によって定まり、入力映像信号が表すことができる色全体を表した色空間は例えばITU-R BT.709規格の色空間である。そして、本例におけるＣｕ′ｖ′（彩度）は、周知のｕ′ｖ′色度図（ＣＩＥ１９７６ＵＣＳ色度図）上において、Ｗ（白）とＲ（赤）との距離に相当する。
【００２５】
ライン設定部１５は、表示装置１で表示可能な色空間の範囲を示すディスプレイライン３と、入力映像信号の目標輝度を示すターゲットライン４と、入力映像信号の輝度をターゲットライン４より高くするか低くするかを判別するための判別ライン５とを設定する。なお、本明細書におけるディスプレイライン３、ターゲットライン４、及び判別ライン５は、それぞれ境界を区切るためのものであり、その形状について特に限定されるものではない。
【００２６】
図２に示すように、ディスプレイライン３、ターゲットライン４、及び判別ライン５は、色相毎に輝度と彩度の関数として設定される。ディスプレイライン３は、表示装置１がＬＵＴ１２ａとして予め保持している。また、ターゲットライン４は、ディスプレイライン３と同様に表示装置１がＬＵＴ１２ａとして予め保持しているが、例えば、主観評価試験に基づいて定めた物体色と発光色の境界となる境界ラインとしてもよい。本明細書ではこの境界ラインをＣＭＩ（Color Mode Index）＝１００と定義するものとする。
【００２７】
簡単に説明すると、ＣＭＩ＝１００の境界ラインは、複数人の被験者がある色について物体色に見えるか、あるいは、発光色に見えるかを判定し、主観的に決定したものである。ここでいう物体色とは、光が反射又は透過する物体の色で、光を反射する反射物体と、光を透過する透過物体とが含まれる。また、発光色とは、光源から出る光の色のことをいう。なお、このＣＭＩについては、「M.Okui et al., “Relationship Between Upper-limit Luminance for Surface-color Mode Appearance and Preferred Gamut on Wide Gamut Display”, SID 09 DIGEST, pp.1018-1021」に記載されており、具体的な説明は省略する。
【００２８】
そして、本発明ではさらに判別ライン５を設定するようにしている。この判別ライン５は、入力映像信号の輝度をターゲットライン４より高くするか低くするかを判別するために設けられたものであり、ターゲットライン４とは別に設定される。これにより、入力映像信号の各画素の輝度と判別ライン５とを比較し、その比較結果に基づいて、各画素の輝度をターゲットライン４の目標輝度に合わせて調整する。
【００２９】
すなわち、輝度調整部１２は、狭色域（例えばITU-R BT.709規格など）に対応した入力映像信号を構成する画素の色相、彩度、及び輝度を検出し、その画素の輝度と判別ライン５とを比較する処理を行う。この処理は各画素について行う。入力映像信号を構成する各画素の色相、彩度、及び輝度は、例えば、入力映像信号のＹＣｂＣｒ信号が持つ値（０〜２５５）をＲＧＢ信号に変換し、さらに、変換後のＲＧＢ信号を周知の変換式を用いてｕ′ｖ′色度座標に変換することで求めることができる。
【００３０】
ここで、上記したように人間の目にはターゲットライン４より下が物体色、また、ターゲットライン４より上が発光色と認識される。図２の例では、ライン設定部１５は、ターゲットライン４の高彩度部分（例えば、１２８〜２５５の部分）の目標輝度を、ディスプレイライン３よりも低くなるように設定すると共に、判別ライン５を、ディスプレイライン３に基づいてターゲットライン４よりも低くなるように設定する。すなわち、ターゲットライン４がディスプレイライン３と判別ライン５との間に設定される。
【００３１】
そして、輝度調整部１２は、判別ライン５よりも低い輝度を持つ物体色の画素Ｐ２の場合、ターゲットライン４及び判別ライン５に基づいて、画素Ｐ２の輝度がその輝度よりも高く且つターゲットライン４よりも低くなるように調整する。これにより、高彩度の物体色のうち低輝度のものについて、その輝度をターゲットライン４の近くまで持ち上げることができるため、従来の狭色域ディスプレイであっても、広色域ディスプレイのような明るく鮮やかな色表現を行うことができる。
【００３２】
また、判別ライン５以上の輝度を持つ物体色の画素Ｐ１については輝度調整せずにそのまま維持してもよいが、より鮮やかな色表現を行いたい場合には、ディスプレイライン３、ターゲットライン４、及び判別ライン５に基づいて、画素Ｐ１の輝度がターゲットライン４よりも高くなるように調整してもよい。これにより、本来物体色であった画素Ｐ１が発光色のように見えるため、上記のように輝度を持ち上げた画素Ｐ２と合わせて、より鮮やかな色表現を行うことができる。具体的には下記の図３で説明するような方法により輝度を調整する。
【００３３】
図３は、輝度調整部１２による輝度調整方法の一例を説明するための図である。図中、縦軸をＬ＊（輝度）、横軸をＣｕ′ｖ′（彩度）とし、Ｌは入力映像信号の輝度調整前の画素の輝度、Ｌ′は入力映像信号の輝度調整後の画素の輝度、Ｌ０はある彩度のときのディスプレイライン３の輝度、Ｌ１はある彩度のときのターゲットライン４の輝度、Ｌ２はある彩度のときの判別ライン５の輝度を示す。
【００３４】
１．判別ライン５によりＬ＜Ｌ２と判別された画素Ｐ２の場合、下記の式（１）に基づいてＬ′を計算する。
Ｌ′＝Ｌ×Ｌ１／Ｌ２  …式（１）
２．判別ライン５によりＬ≧Ｌ２と判別された画素Ｐ１の場合、下記の式（２）に基づいてＬ′を計算する。
Ｌ′＝｛（Ｌ−Ｌ２）×（Ｌ０−Ｌ１）／（Ｌ０−Ｌ２）｝＋Ｌ１  …式（２）
【００３５】
なお、上記２．において、画素Ｐ１の中には元々ターゲットライン４よりも高い輝度を持つ発光色も含まれるが、輝度のバランスを考慮して、これらの発光色についても式（２）により輝度を上げることが好ましい。
【００３６】
このようにして、狭色域の映像信号を表示する際に、判別ライン５よりも下の高彩度の画素Ｐ２の輝度については現在の輝度よりも高く且つターゲットライン４よりも低く調整し、また、判別ライン５以上の高彩度の画素Ｐ１の輝度についてはそのまま、あるいは、ターゲットライン４よりも高くなるように調整する。これにより、従来の狭色域ディスプレイであっても、広色域ディスプレイのような明るく鮮やかな色表現を行うことができる。
【００３７】
図４は、中間色相の場合における輝度調整方法の一例を説明するための図である。ディスプレイライン３及びターゲットライン４を各色相に設定するのは、演算処理の負荷が大きいなどの観点から適当とはいえない。このため、これらのディスプレイライン３及びターゲットライン４を、例えば、Ｒ，Ｇ，Ｂ、あるいは、Ｒ，Ｇ，Ｂ，Ｃ，Ｍ，Ｙなどの所定の色相毎に設定し、中間色相の輝度調整については、これらの色相から補間処理により行うようにしてもよい。
【００３８】
この場合、輝度調整部１２は、入力映像信号を構成する画素の色相が所定の色相以外であった場合、画素の色相に隣接し且つディスプレイライン３及びターゲットライン４が設定された２つの色相の輝度を、ディスプレイライン３、ターゲットライン４、及び判別ライン５に基づいて調整し、調整した２つの色相の輝度に基づいて、画素の色相の輝度を補間する。
【００３９】
上記補間処理について図４の例に基づき具体的に説明する。本例では、補間したい画素（補間対象画素）が持つ色相の階調を（ｒ，ｇ，ｂ）とし、この画素の隣接色相を色相Ｒと色相Ｙ（ｒ＞ｇ＞ｂ）とする。色相Ｒ上の点（ｒ，ｂ，ｂ）、色相Ｙ上の点（ｒ，ｒ，ｂ）のそれぞれについて、前述の図３で説明した方法により輝度Ｌ′を計算する。そして、計算で求めた色相Ｒの輝度Ｌ′と、色相Ｙの輝度Ｌ′とに基づいて、補間対象画素の色相の輝度を補間する。例えば、色相Ｒの輝度Ｌ′と、色相Ｙの輝度Ｌ′との間で線形補間することが考えられる。
【００４０】
図５は、ライン設定部１５による判別ライン５の設定方法の一例を説明するための図である。判別ライン５は、ディスプレイライン３に基づいてターゲットライン４より下に設定される。輝度調整部１２は、ライン設定部１５により設定された判別ライン５をＬＵＴ１２ａとして保持する。具体的には、下記の式に基づいて算出する。ここでは色相“赤”を例示して説明する。
Ｌ２＝Ｌ０−ΔＬ  …式（３）
ΔＬ＝Ｌ０×α×Ｃ１／Ｃ０（αは定数）  …式（４）
但し、Ｃ０は色相“赤”の最大彩度、Ｌ０は彩度Ｃ１のときのディスプレイライン３の輝度、Ｌ２は彩度Ｃ１のときの判別ライン５の輝度である。
【００４１】
ユーザが操作部１７を操作して、Ｃｕ′ｖ′の値に応じてＬ＊値を変化させる。そして、色相によりターゲットライン４の傾きが異なるため、判別ライン５も色相によって傾きを変える。具体的には、判別ライン５がターゲットライン４より下に位置するように式（４）の定数αを変化させる。これにより適当な定数αを決定する。この際、画面上で変化の様子を確認しながら設定処理を行うことが好ましい。そして、ある彩度Ｃ１についてΔＬを算出し、式（３）により判別ライン５の輝度Ｌ２を求めることができる。
【００４２】
このようにして、判別ライン５を、例えば、Ｒ，Ｇ，Ｂ、あるいは、Ｒ，Ｇ，Ｂ，Ｃ，Ｍ，Ｙなどの所定の色相毎に設定し、ディスプレイライン３及びターゲットライン４と共にＬＵＴ１２ａとして保持しておく。
【００４３】
なお、本実施形態では、ターゲットライン４の一例として、物体色／発光色の境界ラインであるＣＭＩ＝１００を設定したが、このターゲットライン４の傾きをディスプレイライン３の傾きに近づける（すなわち、図５に示す矢印方向にシフトさせる）ことにより、ターゲットライン４を高輝度側に設定してもよい。これにより、目標輝度が高くなるため、より鮮やかな色表現を行うことが可能となる。
【００４４】
ここで、上記のようにターゲットライン４を境界ライン（ＣＭＩ＝１００）より高輝度側にシフトさせていくと、ある輝度でディスプレイライン３に当たり、これ以上高輝度側へシフトさせることができなくなる。そこで、このような場合には、低彩度側（無彩色側）の輝度を下げて相対的に高彩度側の輝度を持ち上げて、原色を鮮やかに見せるようにしてもよい。この場合の実施形態について以下に説明する。
【００４５】
（第２の実施形態）
図６は、本発明に係る表示装置１による輝度調整方法の他の実施形態について説明するための図である。本実施形態では、ライン設定部１５は、ターゲットライン４の低彩度部分の目標輝度を、ディスプレイライン３に基づいてディスプレイライン３よりも低くなるように設定する。具体的には下記の図７で説明する方法により輝度を調整する。また、本実施形態におけるターゲットライン４及び判別ライン５は、ディスプレイライン３に基づいて可変設定できるものとする。
【００４６】
図７は、輝度調整部１２による輝度調整方法の他の例を説明するための図である。図中、縦軸をＬ＊（輝度）、横軸をＣｕ′ｖ′（彩度）とし、Ｌは入力映像信号の輝度調整前の画素の輝度、Ｌ′は入力映像信号の輝度調整後の画素の輝度、Ｌ０はある彩度のときのディスプレイライン３の輝度、Ｌ１はある彩度のときの判別ライン５の輝度、Ｌ２はある彩度のときのターゲットライン４の輝度を示す。
【００４７】
３．判別ライン５によりＬ＜Ｌ１と判別された画素Ｐ２の場合、下記の式（５）に基づいてＬ′を計算する。
Ｌ′＝Ｌ×Ｌ２／Ｌ１  …式（５）
４．判別ライン５によりＬ≧Ｌ１と判別された画素Ｐ１の場合、下記の式（６）に基づいてＬ′を計算する。
Ｌ′＝｛（Ｌ−Ｌ１）×（Ｌ０−Ｌ２）／（Ｌ０−Ｌ１）｝＋Ｌ２  …式（６）
【００４８】
なお、上記３．において、画素Ｐ２の中には元々ターゲットライン４よりも低い輝度を持つ色も含まれるが、輝度のバランスを考慮して、これらの色についても式（５）により輝度を下げることが好ましい。
【００４９】
図７において、ライン設定部１５は、判別ライン５を、ディスプレイライン３に基づいてディスプレイライン３とターゲットライン４との間に設定する。そして、輝度調整部１２は、判別ライン５よりも低い輝度を持つ画素Ｐ２の場合、ターゲットライン４及び判別ライン５に基づいて、画素Ｐ２の輝度がターゲットライン４よりも低くなるように調整する。
【００５０】
また、判別ライン５以上の輝度を持つ画素Ｐ１については輝度調整せずにそのまま維持してもよいが、より鮮やかな色表現を行いたい場合には、ディスプレイライン３、ターゲットライン４、及び判別ライン５に基づいて、画素Ｐ１の輝度が現在の輝度よりも低く且つターゲットライン４よりも高くなるように調整してもよい。
【００５１】
このようにして、狭色域の映像信号を表示する際に、判別ライン５よりも下の低彩度の画素Ｐ２の輝度についてはターゲットライン４よりも低く調整し、また、判別ライン５以上の低彩度の画素Ｐ１の輝度についてはそのまま、あるいは、現在の輝度よりも低く且つターゲットライン４よりも高くなるように調整する。これにより、低彩度側（無彩色側）の輝度を下げて相対的に高彩度側の輝度を持ち上げて、原色を鮮やかに見せることができる。
【００５２】
なお、本実施形態においても、前述の図４で説明した方法と同様に、これらのディスプレイライン３及びターゲットライン４を、例えば、Ｒ，Ｇ，Ｂ、あるいは、Ｒ，Ｇ，Ｂ，Ｃ，Ｍ，Ｙなどの所定の色相毎に設定し、中間色相の輝度調整については、これらの色相から補間処理により行うことができる。
【００５３】
図８は、ライン設定部１５によるターゲットライン４の設定方法の一例を説明するための図である。ターゲットライン４は、ディスプレイライン３に基づいてディスプレイライン３よりも低くなるように設定される。そして、輝度調整部１２は、ライン設定部１５により設定されたターゲットライン４をＬＵＴ１２ａとして保持する。具体的には、下記の式に基づいて算出する。ここでは色相“赤”を例示して説明する。
Ｌ２＝Ｌ０−ΔＬ  …式（７）
ΔＬ＝Ｌ０×α×Ｃ１／Ｃ０（αは定数）  …式（８）
但し、Ｃ０は色相“赤”の最大彩度、Ｌ０は彩度Ｃ１のときのディスプレイライン３の輝度、Ｌ２は彩度Ｃ１のときのターゲットライン４の輝度である。
【００５４】
図８に示すようにターゲットライン４を設定する場合、高彩度側の原色輝度は変化させず、低彩度側（無彩色側）のほうが大きく下がるようにディスプレイライン３の輝度Ｌ＊を変化させる。また、白輝度は一定である必要があるため、全色相で定数αを一定にする。このようにして、ある彩度Ｃ１についてターゲットライン４の輝度Ｌ２を求めることができる。
【００５５】
また、上記と同様の方法により、ライン設定部１５は、判別ライン５を、ディスプレイライン３に基づいてディスプレイライン３とターゲットライン４との間に設定することができる。そして、輝度調整部１２は、ライン設定部１５により設定された判別ライン５を、ターゲットライン４と共にＬＵＴ１２ａとして保持する。
【００５６】
図９は、ライン設定部１５によるターゲットライン４の設定方法の他の例を説明するための図である。図９（Ａ）は色相Ａにおけるターゲットライン４の設定状態を示し、図９（Ｂ）は色相Ｂにおけるターゲットライン４の設定状態を示す。このように全色相で白輝度の低下量（図中、Ｄ１）を一定にしつつ、色相によりターゲットライン４の傾き（図中、Ｄ２）を変えるようにしてもよい。
Ｌ２＝Ｌ０−ΔＬ  …式（９）
ΔＬ＝Ｌ０×α×｛１−Ｃ１／（Ｃ０−β）（α，βは定数）  …式（１０）
但し、Ｃ０は各色相Ａ，Ｂの最大彩度、Ｌ０は彩度Ｃ１のときのディスプレイライン３の輝度、Ｌ２は彩度Ｃ１のときのターゲットライン４の輝度である。
【００５７】
本例の場合、色相により上記式（９）の定数βを変化させることで、ターゲットライン４の傾きを変化させる。これによって、ターゲットライン４の傾きが色相毎に設定されるため、より効果的に色表示を行うことができる。このようにして、ある彩度Ｃ１についてターゲットライン４の輝度Ｌ２を求めることができる。
【００５８】
ここで、図３で説明した第１の実施形態では、高彩度部分の目標輝度に合わせて、高彩度の画素の輝度を高くし、また、図７で説明した第２の実施形態では、低彩度部分の目標輝度に合わせて、低彩度の画素の輝度を低くして相対的に高彩度の画素の輝度を高くしている。これら第１の実施形態及び第２の実施形態による輝度調整方法は、それぞれ個別に実施してもよいが、両方を組み合わせて実施してもよい。両方を組み合わせることで高彩度且つ低輝度の原色輝度をより強調することができる。
【００５９】
このように本発明によれば、従来の狭色域ディスプレイであっても、高彩度且つ低輝度の原色輝度を強調することができるため、広色域ディスプレイのような明るく鮮やかな色表現を行うことができる。また、本発明は、原理的に原色輝度が低くなる多原色ディスプレイなどにも適用することができる。
【符号の説明】
【００６０】
１…表示装置、２…放送信号、３…ディスプレイライン、４…ターゲットライン、５…判別ライン、１１…デコード部、１２…輝度調整部、１２ａ…ＬＵＴ、１３…映像処理部、１４…表示部、１５…ライン設定部、１６…操作部。
【図１】
2011123295.tif 000003
【図２】
2011123295.tif 000004
【図３】
2011123295.tif 000005
【図４】
2011123295.tif 000006
【図５】
2011123295.tif 000007
【図６】
2011123295.tif 000008
【図７】
2011123295.tif 000009
【図８】
2011123295.tif 000010
【図９】
2011123295.tif 000011